(57)【要約】【課題】捲回巻きされた積層体により構成されるヨーク部とロータフレームとを強固に一体化でき、ロータの回転による遠心力やステータからの磁気吸引力に耐えうる剛性を確保することができるアキシャルギャップ型モータ及びそのロータの製造方法を提供する。【解決手段】アキシャルギャップ型モータ１０のロータ１１は、回転軸方向に磁化され、周方向に所定の間隔で配置される複数の主磁石部４１と、テープ状の電磁鋼板６０を捲回巻きした積層体７１により構成され、複数の主磁石部４１の回転軸方向両側にそれぞれ配置される複数のヨーク部４２と、周方向に隣り合う主磁石部４１間にそれぞれ配置されて径方向に延びる複数のリブ３１と、複数のリブ３１の内径側及び外径側にそれぞれ設けられる内筒部３２及び外筒部３３と、を有し、ダイカスト合金からなるロータフレーム３０と、を有する。【選択図】図２
2010136501.tif 000002
【特許請求の範囲】
【請求項１】
回転軸周りに回転可能なロータと、
回転軸方向の少なくとも一方から前記ロータに対向配置されるステータと、を備えるアキシャルギャップ型モータであって、
前記ロータは、
前記回転軸方向に磁化され、周方向に所定の間隔で配置される複数の主磁石部と、
テープ状の電磁鋼板を捲回巻きした積層体により構成され、前記複数の主磁石部の前記回転軸方向の少なくとも一方にそれぞれ配置される複数のヨーク部と、
前記周方向に隣り合う前記主磁石部間にそれぞれ配置されて径方向に延びる複数のリブと、前記複数のリブの内径側及び外径側に設けられる内筒部及び外筒部の少なくとも一方と、を有し、ダイカスト合金からなるロータフレームと、
を有することを特徴とするアキシャルギャップ型モータ。
【請求項２】
前記ロータフレームの内筒部及び外筒部には、前記積層体の巻き始め部と巻き終わり部が固定される段差が形成され、
前記複数のヨーク部を構成する前記積層体の内周面及び外周面は、それぞれ略同心円上に位置することを特徴とする請求項１に記載のアキシャルギャップ型モータ。
【請求項３】
前記ロータは、外周面にロータフレーム用取付穴部が形成されるシャフト部をさらに備え、
前記ロータフレームは、前記シャフト部のロータフレーム用取付穴部に入り込む内向き凸部を有することを特徴とする請求項１または２に記載のアキシャルギャップ型モータ。
【請求項４】
前記シャフト部は、前記ロータフレームの内周部に向けて拡径されるフランジ部を有することを特徴とする請求項１から３のいずれかに記載のアキシャルギャップ型モータ。
【請求項５】
前記ロータは、内周面に他のロータフレーム用取付穴部が形成されるアウターリングをさらに備え、
前記ロータフレームは、前記アウターリングの他のロータフレーム用取付穴部に入り込む外向き凸部を有することを特徴とする請求項１から４のいずれかに記載のアキシャルギャップ型モータ。
【請求項６】
前記積層体には、前記主磁石部を挿入するための主磁石部挿入穴が形成されており、
前記主磁石部挿入穴は、その回転軸方向の長さが前記主磁石部のものと略同一で、その周方向の長さが前記主磁石部のものより大きくなるように設定されていることを特徴とする請求項１から５のいずれかに記載のアキシャルギャップ型モータ。
【請求項７】
前記ロータは、前記周方向に隣り合う前記ヨーク部間で、前記ヨーク部の回転軸方向側面より内側に形成された前記積層体の複数の副磁石部収容部にそれぞれ配置され、前記回転軸方向及び径方向に直交する方向に磁化される複数の副磁石部をさらに備え、
前記ロータフレームは、前記副磁石部の前記回転軸方向外側に形成された空間に入り込む副磁石押さえ部を有することを特徴とする請求項１から６のいずれかに記載のアキシャルギャップ型モータ。
【請求項８】
前記ロータフレームは、前記複数のリブと前記内筒部とを有し、
前記積層体には、前記主磁石部を挿入するための主磁石部挿入穴と、前記リブが収容されるリブ収容穴と、が形成され、
該主磁石部挿入穴の内周側と該リブ収容穴の外周側とが塞がれていることを特徴とする請求項１から４のいずれかに記載のアキシャルギャップ型モータ。
【請求項９】
回転軸方向に磁化され、周方向に所定の間隔で配置される複数の主磁石部と、前記複数の主磁石部の前記回転軸方向の少なくとも一方にそれぞれ配置される複数のヨーク部と、  前記周方向に隣り合う前記主磁石部間にそれぞれ配置されて径方向に延びる複数のリブ及び、前記複数のリブの内径側及び外径側に設けられる内筒部及び外筒部の少なくとも一方、を有するロータフレームと、を備え、回転軸周りに回転可能なロータと、
回転軸方向の少なくとも一方から前記ロータに対向配置されるステータと、を備えるアキシャルギャップ型モータのロータ製造方法であって、
テープ状の電磁鋼板を捲回して、前記複数のヨーク部を構成する積層体を形成する工程と、
金型に前記積層体を位置決めした状態でダイカスト合金を鋳込むことで前記ロータフレームを形成する工程と、
を有することを特徴とするアキシャルギャップ型モータのロータ製造方法。
【請求項１０】
前記フレーム形成工程において、前記ロータフレームの内筒部及び外筒部に前記積層体の巻き始め部と巻き終わり部が固定される段差が形成され、
前記複数のヨーク部を構成する前記積層体の内周面及び外周面は、それぞれ略同心円上に位置することを特徴とする請求項９に記載のアキシャルギャップ型モータのロータ製造方法。
【請求項１１】
前記ロータは、外周面にロータフレーム用取付穴部が形成されるシャフト部をさらに備え、
前記フレーム形成工程において、前記ロータフレームは、前記シャフト部のロータフレーム用取付穴部に前記ダイカスト合金が入り込むようにして鋳込まれることを特徴とする請求項９または１０に記載のアキシャルギャップ型モータのロータ製造方法。
【請求項１２】
前記シャフト部は、前記ロータフレームの内周部に向けて拡径されるフランジ部を有することを特徴とする請求項９から１１のいずれかに記載のアキシャルギャップ型モータのロータ製造方法。
【請求項１３】
前記ロータは、内周面に他のロータフレーム用取付穴部が形成されるアウターリングをさらに備え、
前記フレーム形成工程において、前記ロータフレームは、前記アウターリングの他のロータフレーム用取付穴部に前記ダイカスト合金が入り込むようにして鋳込まれることを特徴とする請求項９から１２のいずれかに記載のアキシャルギャップ型モータのロータ製造方法。
【請求項１４】
前記フレーム形成工程において、前記ロータフレームは、前記複数の主磁石部を前記積層体に挿入した状態で鋳込まれることを特徴とする請求項９から１３のいずれかに記載のアキシャルギャップ型モータのロータ製造方法。
【請求項１５】
前記積層体には、前記主磁石部を挿入するための主磁石部挿入穴が形成されており、
前記主磁石部挿入穴は、その回転軸方向の長さが前記主磁石部のものと略同一で、その周方向の長さが前記主磁石部のものより大きくなるように設定されていることを特徴とする請求項９から１４のいずれかに記載のアキシャルギャップ型モータのロータ製造方法。
【請求項１６】
前記ロータは、前記周方向に隣り合う前記ヨーク部間で、前記ヨーク部の周方向側面より前記回転軸方向内側に形成された前記積層体の複数の副磁石部収容部にそれぞれ配置される複数の副磁石部をさらに備え、
前記フレーム形成工程において、前記ロータフレームは、前記複数の副磁石部を前記積層体に挿入した状態で、前記副磁石部の前記回転軸方向外側に形成された空間に前記ダイカスト合金が入り込むようにして鋳込まれることを特徴とする請求項９から１５のいずれかに記載のアキシャルギャップ型モータのロータ製造方法。
【請求項１７】
前記積層体には、前記主磁石部を挿入するための主磁石部挿入穴と、前記リブが収容されるリブ収容穴と、が形成され、該主磁石部挿入穴の内周側と該リブ収容穴の外周側とが塞がれており、
前記フレーム形成工程において、前記複数のリブと前記内筒部とを有する前記ロータフレームが形成され、
前記主磁石部は、前記ロータフレームが一体化された前記積層体に挿入されることを特徴とする請求項９から１２のいずれかに記載のアキシャルギャップ型モータのロータ製造方法。
【請求項１８】
前記ロータフレームを鋳込む際に使用される金型には、前記ヨーク部を径方向に位置決めするための段差部が形成されることを特徴とする請求項９から１７のいずれかに記載のアキシャルギャップ型モータのロータ製造方法。
【請求項１９】
前記ロータフレームは、前記積層体がその巻き始め部と巻き終わり部によって周方向に位置決めされた状態で鋳込まれることを特徴とする請求項９から１８のいずれかに記載のアキシャルギャップ型モータのロータ製造方法。
【発明の詳細な説明】
【技術分野】
【０００１】
本発明は、アキシャルギャップ型モータ及びそのロータ製造方法に関する。
【背景技術】
【０００２】
従来、例えば、回転軸周りに回転可能なロータと、回転軸方向の少なくとも一方側からロータに対向配置されたステータとを備え、ロータの永久磁石による界磁磁束に対して、ステータを介した磁束ループを形成するアキシャルギャップ型モータが知られている。
【０００３】
ロータの製造方法としては、テープ状の電磁鋼板を捲回巻きした積層体によりロータコアを構成したものが種々考案されている（例えば、特許文献１〜４参照）。図２０に示すように、特許文献１に記載のアキシャルギャップ型モータでは、テープ状の電磁鋼板を捲回した積層体１０１によってロータコア１０２を構成し、このロータコア１０２に形成された開口１０３に磁石１０４が格納されている。これにより、複数のヨーク部がロータコア１０２によって一体形成される。
【特許文献１】特開２００６−１６６６３５号公報（第２図）
【特許文献２】特開２００５−１６８１２４号公報（第１図）
【特許文献３】特開２００２−１０５３７号公報（第１図）
【特許文献４】特開２００６−５０７０６号公報（第２図、第６図、第７図）
【発明の開示】
【発明が解決しようとする課題】
【０００４】
ところで、積層体によって構成されるロータコアはその内側でシャフト、或いはロータフレームに取り付けられる。このロータコアとシャフト、或いはロータフレームとを剛性を確保した上で取り付ける場合には、ヨーク部が分割されたロータ構造に比べ、組み付け構造が複雑になりやすい。また、特許文献１〜３に記載のロータの製造方法には、具体的なシャフトとの取り付けについて記載されていない。また、特許文献４に記載の方法では、シャフトを２分割して、外周面にネジ部を形成してナットによってロータコアとシャフトとを固定しており、取り付けが非常に複雑である。
【０００５】
本発明は、上記した事情に鑑みてなされたもので、その目的は、捲回巻きされた積層体により構成されるヨーク部とロータフレームとを強固に一体化でき、ロータの回転による遠心力やステータからの磁気吸引力に耐えうる剛性を確保することができるアキシャルギャップ型モータ及びそのロータの製造方法を提供することにある。
【課題を解決するための手段】
【０００６】
上記目的を達成するために、請求項１に記載の発明は、
回転軸周りに回転可能なロータ（例えば、後述の実施形態におけるロータ１１）と、
回転軸方向の少なくとも一方から前記ロータに対向配置されるステータ（例えば、後述の実施形態におけるステータ１２）と、を備えるアキシャルギャップ型モータ（例えば、後述の実施形態におけるアキシャルギャップ型モータ１０）であって、
前記ロータは、
前記回転軸方向に磁化され、周方向に所定の間隔で配置される複数の主磁石部（例えば、後述の実施形態における主磁石部４１）と、
テープ状の電磁鋼板を捲回巻きした積層体（例えば、後述の実施形態における積層体７１）により構成され、前記複数の主磁石部の前記回転軸方向の少なくとも一方にそれぞれ配置される複数のヨーク部（例えば、後述の実施形態におけるヨーク部４２）と、
前記周方向に隣り合う前記主磁石部間にそれぞれ配置されて径方向に延びる複数のリブ（例えば、後述の実施形態におけるリブ３１）と、前記複数のリブの内径側及び外径側に設けられる内筒部（例えば、後述の実施形態における内筒部３２）及び外筒部（例えば、後述の実施形態における外筒部３３）の少なくとも一方と、を有し、ダイカスト合金からなるロータフレーム（例えば、後述の実施形態におけるロータフレーム３０）と、
を有することを特徴とする。
【０００７】
請求項２に記載の発明は、請求項１に記載の発明の構成に加えて、
前記ロータフレームの内筒部及び外筒部には、前記積層体の巻き始め部（例えば、後述の実施形態における巻き始め部６４）と巻き終わり部（例えば、後述の実施形態における巻き終わり部６５）が固定される段差（例えば、後述の実施形態における段差３６，３７）が形成され、
前記複数のヨーク部を構成する前記積層体の内周面及び外周面は、それぞれ略同心円上に位置することを特徴とする。
【０００８】
請求項３に記載の発明は、請求項１または２に記載の発明の構成に加えて、
前記ロータは、外周面にロータフレーム用取付穴部（例えば、後述の実施形態におけるロータフレーム用取付穴部５７）が形成されるシャフト部（例えば、後述の実施形態におけるシャフト部５５）をさらに備え、
前記ロータフレームは、前記シャフト部のロータフレーム用取付穴部に入り込む内向き凸部（例えば、後述の実施形態における内向き凸部３４）を有することを特徴とする。
【０００９】
請求項４に記載の発明は、請求項１から３のいずれかに記載の発明の構成に加えて、
前記シャフト部は、前記ロータフレームの内周部に向けて拡径されるフランジ部（例えば、後述の実施形態におけるフランジ部５６）を有することを特徴とする。
【００１０】
請求項５に記載の発明は、請求項１から４のいずれかに記載の発明の構成に加えて、
前記ロータは、内周面に他のロータフレーム用取付穴部（例えば、後述の実施形態における他のロータフレーム用取付穴部５１）が形成されるアウターリング（例えば、後述の実施形態におけるアウターリング５０）をさらに備え、
前記ロータフレームは、前記アウターリングの他のロータフレーム用取付穴部に入り込む外向き凸部（例えば、後述の実施形態における外向き凸部３５）を有することを特徴とする。
【００１１】
請求項６に記載の発明は、請求項１から５のいずれかに記載の発明の構成に加えて、
前記積層体には、前記主磁石部を挿入するための主磁石部挿入穴（例えば、後述の実施形態における主磁石部挿入穴７２）が形成されており、
前記主磁石部挿入穴は、その回転軸方向の長さが前記主磁石部のものと略同一で、その周方向の長さが前記主磁石部のものより大きくなるように設定されていることを特徴とする。
【００１２】
請求項７に記載の発明は、請求項１から６のいずれかに記載の発明の構成に加えて、
前記ロータは、前記周方向に隣り合う前記ヨーク部間で、前記ヨーク部の回転軸方向側面より内側に形成された前記積層体の複数の副磁石部収容部（例えば、後述の実施形態における副磁石部収容部７４）にそれぞれ配置され、前記回転軸方向及び径方向に直交する方向に磁化される複数の副磁石部（例えば、後述の実施形態における副磁石部４３）をさらに備え、
前記ロータフレームは、前記副磁石部の前記回転軸方向外側に形成された空間に入り込む副磁石押さえ部（例えば、後述の実施形態における副磁石押さえ部３９）を有することを特徴とする。
【００１３】
請求項８に記載の発明は、請求項１から４のいずれかに記載の発明の構成に加えて、
前記ロータフレームは、前記複数のリブと前記内筒部とを有し、
前記積層体には、前記主磁石部を挿入するための主磁石部挿入穴と、前記リブが収容されるリブ収容穴（例えば、後述の実施形態におけるリブ収容穴７３）と、が形成され、
該主磁石部挿入穴の内周側と該リブ収容穴の外周側とが塞がれていることを特徴とする。
【００１４】
請求項９に記載の発明は、
回転軸方向に磁化され、周方向に所定の間隔で配置される複数の主磁石部と、前記複数の主磁石部の前記回転軸方向の少なくとも一方にそれぞれ配置される複数のヨーク部と、  前記周方向に隣り合う前記主磁石部間にそれぞれ配置されて径方向に延びる複数のリブ及び、前記複数のリブの内径側及び外径側に設けられる内筒部及び外筒部の少なくとも一方、を有するロータフレームと、を備え、回転軸周りに回転可能なロータと、
回転軸方向の少なくとも一方から前記ロータに対向配置されるステータと、を備えるアキシャルギャップ型モータのロータ製造方法であって、
テープ状の電磁鋼板を捲回して、前記複数のヨーク部を構成する積層体を形成する工程と、
金型（例えば、本実施形態の第１及び第２の金型８０，８１）に前記積層体を位置決めした状態でダイカスト合金を鋳込むことで前記ロータフレームを形成する工程と、
を有することを特徴とする。
【００１５】
請求項１０に記載の発明は、請求項９に記載の発明の構成に加えて、
前記フレーム形成工程において、前記ロータフレームの内筒部及び外筒部に前記積層体の巻き始め部と巻き終わり部が固定される段差が形成され、
前記複数のヨーク部を構成する前記積層体の内周面及び外周面は、それぞれ略同心円上に位置することを特徴とする。
【００１６】
請求項１１に記載の発明は、請求項９または１０に記載の発明の構成に加えて、
前記ロータは、外周面にロータフレーム用取付穴部が形成されるシャフト部をさらに備え、
前記フレーム形成工程において、前記ロータフレームは、前記シャフト部のロータフレーム用取付穴部に前記ダイカスト合金が入り込むようにして鋳込まれることを特徴とする。
【００１７】
請求項１２に記載の発明は、請求項９から１１のいずれかに記載の発明の構成に加えて、
前記シャフト部は、前記ロータフレームの内周部に向けて拡径されるフランジ部を有することを特徴とする。
【００１８】
請求項１３に記載の発明は、請求項９から１２のいずれかに記載の発明の構成に加えて、
前記ロータは、内周面に他のロータフレーム用取付穴部が形成されるアウターリングをさらに備え、
前記フレーム形成工程において、前記ロータフレームは、前記アウターリングの他のロータフレーム用取付穴部に前記ダイカスト合金が入り込むようにして鋳込まれることを特徴とする。
【００１９】
請求項１４に記載の発明は、請求項９から１３のいずれかに記載の発明の構成に加えて、
前記フレーム形成工程において、前記ロータフレームは、前記複数の主磁石部を前記積層体に挿入した状態で鋳込まれることを特徴とする。
【００２０】
請求項１５に記載の発明は、請求項９から１４のいずれかに記載の発明の構成に加えて、
前記積層体には、前記主磁石部を挿入するための主磁石部挿入穴が形成されており、
前記主磁石部挿入穴は、その回転軸方向の長さが前記主磁石部のものと略同一で、その周方向の長さが前記主磁石部のものより大きくなるように設定されていることを特徴とする。
【００２１】
請求項１６に記載の発明は、請求項９から１５のいずれかに記載の発明の構成に加えて、
前記ロータは、前記周方向に隣り合う前記ヨーク部間で、前記ヨーク部の周方向側面より前記回転軸方向内側に形成された前記積層体の複数の副磁石部収容部にそれぞれ配置される複数の副磁石部をさらに備え、
前記フレーム形成工程において、前記ロータフレームは、前記複数の副磁石部を前記積層体に挿入した状態で、前記副磁石部の前記回転軸方向外側に形成された空間に前記ダイカスト合金が入り込むようにして鋳込まれることを特徴とする。
【００２２】
請求項１７に記載の発明は、請求項９から１２のいずれかに記載の発明の構成に加えて、
前記積層体には、前記主磁石部を挿入するための主磁石部挿入穴と、前記リブが収容されるリブ収容穴と、が形成され、該主磁石部挿入穴の内周側と該リブ収容穴の外周側とが塞がれており、
前記フレーム形成工程において、前記複数のリブと前記内筒部とを有する前記ロータフレームが形成され、
前記主磁石部は、前記ロータフレームが一体化された前記積層体に挿入されることを特徴とする。
【００２３】
請求項１８に記載の発明は、請求項９から１７のいずれかに記載の発明の構成に加えて、
前記ロータフレームを鋳込む際に使用される金型には、前記ヨーク部を径方向に位置決めするための段差部（例えば、後述の実施形態における段差部８２，８３）が形成されることを特徴とする。
【００２４】
請求項１９に記載の発明は、請求項９から１８のいずれかに記載の発明の構成に加えて、
前記ロータフレームは、前記積層体がその巻き始め部と巻き終わり部によって周方向に位置決めされた状態で鋳込まれることを特徴とする。
【発明の効果】
【００２５】
請求項１及び９の発明によれば、ダイカスト合金で鋳込みによりロータフレームが製造されるので、捲回巻きされた積層体により構成されるヨーク部とロータフレームとを強固に一体化でき、ロータの回転による遠心力やステータからの磁気吸引力に耐えうる剛性を確保することができる。
【００２６】
請求項２及び１０の発明によれば、ロータフレームの内筒部及び外筒部に鋳込みにより形成される段差によって、積層体の巻き始め部と巻き終わり部が固定され、積層体を真円度よくロータフレームに固定することができる。
【００２７】
請求項３及び１１の発明によれば、シャフト部をロータフレームの鋳込み時に一体化したので、ロータフレームのシャフト部への組み付け作業が容易になり、均一な製品を量産することができる。
【００２８】
請求項４及び１２の発明によれば、ロータフレームのダイカスト合金が収縮等によって変形した場合でも、寸法変化を抑えることができる。
【００２９】
請求項５及び１３の発明によれば、アウターリングをロータフレームの鋳込み時に一体化したので、アウターリングのロータフレームへの圧入作業が不要となる。
【００３０】
請求項６及び１５の発明によれば、磁束を流す回転軸方向には、ダイカスト合金は挟まらないようにし、主磁石部の周方向側面をダイカスト合金で覆うようにすることで、磁束漏れや短絡を防止することができる。
【００３１】
請求項７及び１６の発明によれば、略ハルバッハ構造とすることで、主磁石部の磁束の方向を規制する磁束レンズ効果により有効磁束発生量を相対的に増やすことができる。また、副磁石部の軸方向への位置ずれを防止することができる。
【００３２】
請求項８及び１７の発明によれば、磁石を外した状態でヨーク部をフレームで鋳包むことができ、鋳造温度の高いダイカスト合金を使用しても、温度上昇による磁石保磁力性能の劣化を防止することができる。
【００３３】
請求項１４の発明によれば、ヨーク部と主磁石部とをロータフレームの鋳込みにより一体化することができ、組み付け作業が容易になるとともに、主磁石部の位置ずれを防止することができる。
【００３４】
請求項１８の発明によれば、金型に設けられた段差によって積層体が径方向に位置決めされるので、積層体の位置ずれが防止され、且つ、加工時間の短縮、安価な製造が可能となる。
【００３５】
請求項１９の発明によれば、ロータフレームのリブの周方向の位置決めが可能となり、精度良く鋳込み作業が行なわれる。
【発明を実施するための最良の形態】
【００３６】
以下、本発明に係るアキシャルギャップ型モータの各実施形態について、添付図面に基づいて詳細に説明する。なお、図面は符号の向きに見るものとする。
【００３７】
＜第１実施形態＞
本発明の第１実施形態によるアキシャルギャップ型モータ１０は、例えば図１に示すように、このアキシャルギャップ型モータ１０の回転軸Ｏ周りに回転可能に設けられた略円環状のロータ１１と、回転軸Ｏ方向の両側からロータ１１を挟みこむようにして対向配置され、ロータ１１を回転させる回転磁界を発生する複数相の各固定子巻線を有する１対のステータ１２とを備えて構成されている。 
【００３８】
このアキシャルギャップ型モータ１０は、例えばハイブリッド車両や電動車両等の車両に駆動源として搭載され、出力軸がトランスミッション（図示略）の入力軸に接続されることで、アキシャルギャップ型モータ１０の駆動力がトランスミッションを介して車両の駆動輪（図示略）に伝達されるようになっている。 
【００３９】
また、車両の減速時に駆動輪側からアキシャルギャップ型モータ１０に駆動力が伝達されると、アキシャルギャップ型モータ１０は発電機として機能していわゆる回生制動力を発生し、車体の運動エネルギーを電気エネルギー（回生エネルギー）として回収する。さらに、例えばハイブリッド車両においては、アキシャルギャップ型モータ１０の回転軸が内燃機関（図示略）のクランクシャフトに連結されると、内燃機関の出力がアキシャルギャップ型モータ１０に伝達された場合にもアキシャルギャップ型モータ１０は発電機として機能して発電エネルギーを発生する。 
【００４０】
各ステータ１２は、略円環板状のステータヨーク部２１と、ロータ１１に対向するステータヨーク部２１の対向面上で周方向に所定間隔をおいた位置から回転軸Ｏ方向に沿ってロータ１１に向かい突出すると共に径方向に伸びる複数のティース２２，…，２２と、適宜のティース２２，２２間に装着される固定子巻線（図示略）とを備えて構成されている。 
【００４１】
各ステータ１２は、例えば主極が６個（例えば、Ｕ＋，Ｖ＋，Ｗ＋，Ｕ−，Ｖ−，Ｗ）とされた６Ｎ型であって、一方のステータ１２の各Ｕ＋，Ｖ＋，Ｗ＋極に対して、他方のステータ１２の各Ｕ−，Ｖ−，Ｗ−極が回転軸Ｏ方向で対向するように設定されている。例えば回転軸Ｏ方向で対向する１対のステータ１２，１２に対し、Ｕ＋，Ｖ＋，Ｗ＋極およびＵ−，Ｖ−，Ｗ−極の一方に対応する一方のステータ１２の３個のティース２２，２２，２２と、Ｕ＋，Ｖ＋，Ｗ＋極およびＵ−，Ｖ−，Ｗ−極の他方に対応する他方のステータ１２の３個のティース２２，２２，２２とが、回転軸Ｏ方向で対向するように設定され、回転軸Ｏ方向で対向する一方のステータ１２のティース２２と、他方のステータ１２のティース２２とに対する通電状態が電気角で反転状態となるように設定されている。 
【００４２】
ロータ１１は、図３及び図４に示すように、シャフト部５５と、複数の主磁石部４１，…，４１と、複数の副磁石部４３，…，４３と、複数のヨーク部４２，…，４２と、非磁性部材からなるロータフレーム３０と、アウターリング５０と、を備えて構成される。
【００４３】
複数のヨーク部４２，…，４２は、図５及び図６に示すように、テープ状の電磁鋼板６０を捲回巻きした積層体７１により構成される。テープ状の電磁鋼板６０には、例えば、プレス成型機を用いて打ち抜き加工を施すことで、主磁石部用切欠き６１、副磁石部用切欠き６２、リブ用切欠き６３が形成されている。このテープ状の電磁鋼板６０は、図６に示すように、巻き始め部６４を巻芯７０上に仮止めされ、巻芯７０が回転することで捲回され、巻き終わり部６５でカットして溶接することで積層体７１を構成する。
【００４４】
また、テープ状の電磁鋼板６０は、巻芯７０上で捲回されるので、最内径側から一層目、二層目、三層目、・・・と長手方向長さが長くなる。このため、図５において、リブ用切欠き６３の中心間距離をピッチＰとすると、各層のピッチＰは径方向外方に向かって次第に大きくなるように設定されている。
【００４５】
このように捲回巻きされた積層体７１において、回転軸方向中間部では、主磁石部用切欠き６１によって形成される略扇形形状の複数の主磁石部挿入穴７２，…，７２と、リブ用切欠き６３によって形成される略直方体形状の複数のリブ収容穴７３，…，７３とがそれぞれ周方向に所定の間隔で交互に設けられ、また、回転軸方向両側では、略扇形形状の複数のヨーク部４２，…，４２と、副磁石部用切欠き６２によって形成される軸方向外側に開口した略直方体形状の複数の副磁石部収容部７４，…，７４とがそれぞれ周方向に所定の間隔で交互に設けられる。
【００４６】
また、複数のヨーク部４２，…，４２は、複数の主磁石部挿入穴７２，…，７２の回転軸方向両側にそれぞれ配置され、複数の副磁石部収容部７４，…，７４は、複数のリブ収容穴７３，…，７３の回転軸方向両側にそれぞれ配置される。主磁石部挿入穴７２とリブ収容穴７３とは、軸方向両側のヨーク部４２同士を連結する軸方向連結部７５によって仕切られており、また、副磁石部収容部７４とリブ収容穴７３とは、周方向両側のヨーク部４２同士を連結する周方向連結部７６によって仕切られている。
【００４７】
このように構成された積層体７１の各主磁石部挿入穴７２，…，７２には、該挿入穴７２，…，７２と略同一寸法を有する略扇形形状の複数の主磁石部４１，…，４１が挿入され、各副磁石部収容部７４，…，７４には、該収容部７４，…，７４と略同一寸法を有する略直方体状の複数の副磁石部４３，…，４３が挿入される。
【００４８】
なお、主磁石部挿入穴７２は、その回転軸方向の長さを、後述するダイカスト合金が挟まらないように、主磁石部４２のものと略同一に設定し、また、その周方向の長さを、主磁石部の周方向側面がダイカスト合金で覆われるように、主磁石部４２のものより若干大きくなるように設定されることが好ましい。
【００４９】
また、副磁石部収容部７４は、図７に示すように、隣接するヨーク部４２間の周方向連結部７６と、ヨーク部４２の周方向端部に形成された傾斜面７７の先端部に形成される突起部７８とで、副磁石部４３を軸方向に位置決めし、且つ、隣接するヨーク部４２の周方向側面間で周方向に位置決めする。
【００５０】
これにより、複数の主磁石部４１，…，４１は、周方向に所定の間隔で配置され、且つ、その磁化方向は、周方向で隣り合う主磁石部４１，４１毎に異なるように回転軸方向に向けられている。また、複数の副磁石部４３，…，４３は、周方向に隣り合うヨーク部４２間に配置され、その磁化方向が回転軸方向および径方向に直交する方向に向けられている。周方向で隣り合う副磁石部４３，４３は、磁化方向が互いに異なっており、また、回転軸方向に隣り合う副磁石部４３，４３も、磁化方向が互いに異なっている。
【００５１】
さらに、各主磁石部４１に対して、回転軸方向の一方側に位置するヨーク部４２を周方向両側から挟み込む副磁石部４３，４３同士は、該主磁石部４１の一方側の磁極と同極の磁極を対向させて配置され、回転軸方向の他方側に位置するヨーク部４２を周方向両側から挟み込む副磁石部４３，４３同士は、該主磁石部４１の他方側の磁極と同極の磁極を対向させて配置される。これにより、所謂永久磁石の略ハルバッハ配置による磁束レンズ効果により、主磁石部４１および各副磁石部４３，４３の各磁束が収束し、各ステータ１２，１２に鎖交する有効磁束が相対的に増大するようになっている。
また、各ヨーク部４２，…，４２には、その周方向端部に傾斜面７７が形成されているので、極弧角が調整され、ステータ１２，１２間での磁気抵抗の急激な変化を抑制し、トルクリップルの発生を抑制できる。
【００５２】
ロータフレーム３０は、積層体６１のリブ収容穴７３，…，７３内を径方向に延び、周方向に隣り合う主磁石部４１間にそれぞれ配置される複数のリブ３１，…，３１と、複数のリブ３１，…，３１の内径側及び外径側にそれぞれ設けられ、これらリブ３１，…，３１によって接続される内筒部３２及び外筒部３３と、を有する。
【００５３】
内筒部３２の内周部には、外部の駆動軸（例えば、車両のトランスミッションの入力軸等）に接続されるシャフト部５５が、ロータフレーム３０の内周部３２に向けて拡径されたフランジ部５６にて一体的に接続固定されている。図３に示すように、フランジ部５６の外周面には、複数のロータフレーム用取付穴部５７が形成されており、ロータフレーム３０の内筒部３２の内周面に鋳込みにより形成された複数の内向き凸部３４がこれらロータフレーム用取付穴部５７に入り込んでいる。
【００５４】
また、外筒部３３の外周部には、例えば、ステンレス鋼板などの非磁性材から形成される環状のアウターリング５０が一体的に接続固定されており、高速回転する際の遠心力によってヨーク部４２が径方向外方に広がるのを抑えている。アウターリング５０には、径方向に貫通する複数の他のロータフレーム用取付穴部５１が形成されており、ロータフレーム３０の外周部３３の外周面に鋳込みにより形成された複数の外向き凸部３５がこれら他のロータフレーム用取付穴部５１に入り込んでいる。
【００５５】
また、図８に示すように、内向き凸部３４と外向き凸部３５は、鋳込みの際湯流れが良くなるように、リブ３１の延出方向に沿って形成されている。
【００５６】
上記のように構成されるロータフレーム３０は、図１０に示すように、主磁石部４１，…，４１と副磁石部４３，…，４３とが挿入された積層体７１、シャフト部５５、及び、アウターリング５０を第１及び第２の金型８０，８１内に収容し、アルミニウム合金等の非磁性のダイカスト合金を用いて鋳込みによって形成される。
【００５７】
第１及び第２の金型８０，８１は、回転軸方向に二分割され、アウターリング５０やヨーク部４２の回転軸方向の一側面で分割されており、それぞれシャフト部５５の軸方向側面、ヨーク部４２と副磁石部４３の軸方向側面、アウターリング５０の軸方向側面にそれぞれ対応する各側面８０ａ，８１ａ，８０ｂ，８１ｂ，８０ｃ，８１ｃを有し、また、第１の金型８０は、アウターリング５０の外周面に対応する内周面８０ｄを有する。
【００５８】
これら金型８０，８１のヨーク部４２と副磁石部４３の軸方向側面に対応する各側面８０ｂ，８１ｂの外径側には、段差部８２，８３が設けられており、主磁石部４１，…，４１と副磁石部４３，…，４３とが挿入された積層体７１を、径方向に位置決めする。また、積層体７１は、鋳込み時にシャフト部５５のロータフレーム用取付穴部５７と、アウターリング５０の他のロータフレーム用取付穴部５１に湯流れが良くなるように、巻き始め部６４と巻き終わり部６５を用いて、周方向に位置決めされる。
【００５９】
そして、主磁石部４１，…，４１、副磁石部４３，…，４３、積層体７１、シャフト部５５、及び、アウターリング５０が収容された状態で、第１及び第２の金型８０，８１を閉じ、これら金型８０，８１間に形成された空間内に第２の金型８１に設けられた環状の湯口８４からダイカスト合金を流し込む。湯口８４は、ロータフレーム３０の内筒部３２に対応する径方向位置に開口するように設けられている。このため、湯口８４から流し込まれたダイカスト合金は、内筒部３２を構成する空間に入り込んだ後、積層体７１に形成されたリブ収容穴７３を通過して、外筒部３３を構成する空間に流れ込む。さらに、ダイカスト合金は、シャフト部５５のロータフレーム用取付穴部５７と、アウターリング５０の他のロータフレーム用取付穴部５１とにも流れ込む。これにより、リブ３１、内筒部３２、外筒部３３、内向き凸部３４、外向き凸部３５を有するロータフレーム３０が鋳込みにより形成される。
【００６０】
また、鋳込みにより形成された内周部３２及び外周部３３には、巻き始め部６４と巻き終わり部６５の形状に対応する段差３６，３７が形成される（図８参照）。これにより、積層体７１の内周面及び外周面は、それぞれ略同心円上に位置することになり、捲回ヨークの芯ズレによるアンバランスの発生を抑制することができる。
【００６１】
なお、主磁石部４１，…，４１、副磁石部４３，…，４３を積層体７１に挿入した状態で鋳込む場合のダイカスト合金は、鋳込み温度が各磁石部４１，…，４１，４３，…，４３の保磁力を劣化させない温度である材料を選定する必要があり、上述したアルミニウム合金が挙げられる。
【００６２】
従って、本実施形態のアキシャルギャップ型モータ１０及びそのロータの製造方法によれば、ロータ１１は、回転軸方向に磁化され、周方向に所定の間隔で配置される複数の主磁石部４１，…，４１と、複数の主磁石部４１，…，４１の回転軸方向両側にそれぞれ配置される複数のヨーク部４２，…，４２と、周方向に隣り合う主磁石部４１，…，４１間にそれぞれ配置されて径方向に延びる複数のリブ３１，…，３１と、複数のリブ３１，…，３１の内径側及び外径側に設けられる内筒部３２及び外筒部３３と、を有するロータフレーム３０と、を備える。そして、複数のヨーク部４２，…，４２は、テープ状の電磁鋼板６０を捲回巻きした積層体７１により構成され、ロータフレーム３０は、第１及び第２の金型８０，８１に積層体７１を位置決めした状態でダイカスト合金を鋳込むことで形成する。これにより、捲回巻きされた積層体７１により構成されるヨーク部４２，…，４２とロータフレーム３０とを強固に一体化でき、ロータ１１の回転による遠心力やステータ１２からの磁気吸引力に耐えうる剛性を確保することができる。
【００６３】
また、ロータフレーム３０の内筒部３２及び外筒部３３には、積層体７１の巻き始め部６４と巻き終わり部６５が固定される段差３６，３７が形成され、複数のヨーク部４２を構成する積層体７１の内周面及び外周面は、それぞれ略同心円上に位置する。従って、巻き始め部６４と巻き終わり部６５の段差形状を鋳込みにより吸収することができ、焼き嵌めや圧入等の複雑な締結方法によって固定する必要がなく、積層体７１を真円度よくロータフレーム３０に固定することができる。また、巻き始め部６４と巻き終わり部６５が段差３６，３７によって固定されることで、積層体７１がほどけることがなく、加締め等の別作業が不要となる。
【００６４】
さらに、ロータ１１は、外周面にロータフレーム用取付穴部５７が形成されるシャフト部５５をさらに備え、ロータフレーム３０は、シャフト部５５のロータフレーム用取付穴部５７に鋳込みにより入り込む内向き凸部３４を有する。これにより、シャフト部５５をロータフレーム３０の鋳込み時に一体化したので、ロータフレーム３０のシャフト部５５への組み付け作業が容易になり、均一な製品を量産することができる。
【００６５】
また、シャフト部５５は、ロータフレーム３０の内周部に向けて拡径されるフランジ部５６を有するので、ロータフレーム３０のダイカスト合金が収縮等によって変形した場合でも、寸法変化を抑えることができる。
【００６６】
さらに、ロータ１１は、内周面に他のロータフレーム用取付穴部５１が形成されるアウターリング５０をさらに備え、ロータフレーム３０は、アウターリング５０の他のロータフレーム用取付穴部５１に入り込む外向き凸部３５を有する。これにより、アウターリング５０をロータフレーム３０の鋳込み時に一体化したので、アウターリング５０のロータフレーム３０への圧入作業が不要となる。また、本実施形態では、シャフト部５５とアウターリング５０の両方がロータフレーム３０の鋳込み時に一体化されるので、さらに製造工程が簡潔となる。
【００６７】
ロータフレーム３０は、複数の主磁石部４１，…，４１を積層体７１に挿入した状態で鋳込まれるので、ヨーク部４２，…，４２と主磁石部４１，…，４１とをロータフレーム３０の鋳込みにより一体化することができ、組み付け作業が容易になるとともに、主磁石部４１，…，４１の位置ずれを防止することができる。
また、ロータフレーム３０を形成するダイカスト合金は、鋳込み温度が主磁石部４１，…，４１の保磁力を劣化させない温度である材料を選定しているので、鋳込みによる主磁石部４１，…，４１の劣化を防止することができる。
【００６８】
加えて、積層体７１には、主磁石部４２を挿入するための主磁石部挿入穴７２が形成されており、主磁石部挿入穴７２は、その回転軸方向の長さが主磁石部４２のものと略同一で、その周方向の長さが主磁石部４２のものより大きくなるように設定されているので、磁束を流す回転軸方向には、ダイカスト合金は挟まらないようにし、主磁石部の周方向側面をダイカスト合金で覆うようにすることで、磁束漏れや短絡を防止することができる。
【００６９】
また、ロータ１１は、周方向に隣り合うヨーク部４２間で、ヨーク部４２の回転軸方向側面より内側に形成された積層体の複数の副磁石部収容部７４にそれぞれ配置され、回転軸方向及び径方向に直交する方向に磁化される複数の副磁石部４３をさらに備える。従って、略ハルバッハ構造とすることで、主磁石部の磁束の方向を規制する磁束レンズ効果により有効磁束発生量を相対的に増やすことができる。
【００７０】
ロータフレーム３０を鋳込む際に使用される第１及び第２の金型８０，８１には、ヨーク部４２を径方向に位置決めするための段差部８２，８３が形成されるので、積層体７１の位置ずれが防止され、且つ、加工時間の短縮、安価な製造が可能となる。
【００７１】
ロータフレーム３０は、積層体７１がその巻き始め部６４と巻き終わり部６５によって周方向に位置決めされた状態で鋳込まれるので、リブ３１の周方向の位置決めが可能となり、精度良く鋳込み作業が行なわれる。
特に、本実施形態のような、リブ３１の延出方向に沿って形成される内向き凸部３４と外向き凸部３５に対して、湯流れが良好に行なわれる。
【００７２】
＜第２実施形態＞
以下、本発明の第２実施形態について、図１１及び図１２を参照して説明する。なお、図中、第１実施形態と同一の構成部分には同一符号を付して説明を省略する。
【００７３】
本実施形態のロータ１１では、図１１及び図１２に示すように、ロータフレーム３０は、主磁石部４１，…，４１と副磁石部４３，…，４３とが挿入された積層体７１、及び、シャフト部５５が収容された状態で鋳込みによって形成され、アウターリング５０は、鋳込み後のロータフレーム３０の外筒部３３の外周面に圧入または焼きばめ固定される。このため、アウターリング５０が外筒部３３を付勢することで、高速回転する際の遠心力によってヨーク部４２が径方向外方に広がるのを抑えることができる。なお、ロータフレーム３０は、アウターリング５０と一体に鋳込まれないので、アウターリング５０には、他のロータフレーム用取付穴部５１は設けられておらず、ロータフレーム３０にも外向き凸部３５は形成されていない。
【００７４】
また、ロータフレーム３０を鋳込む際に使用される第１及び第２の金型８０，８１は、ヨーク部４２の回転軸方向の一側面で分割されており、それぞれシャフト部５５の軸方向側面、ヨーク部４２と副磁石部４３の軸方向側面にそれぞれ対応する各側面８０ａ，８１ａ，８０ｂ，８１ｂを有し、また、第１の金型８０は、ロータフレーム３０の外筒部３３に対応する内周面８０ｅを有している。この場合にも、これら金型８０，８１のヨーク部４２と副磁石部４３の軸方向側面に対応する各側面８０ｂ，８１ｂの外径側には、積層体７１を、径方向に位置決めするために段差部８２，８３が設けられる。
その他の構成及び作用については、第１実施形態のものと同様である。
【００７５】
＜第３実施形態＞
以下、本発明の第３実施形態について、図１３及び図１４を参照して説明する。なお、図中、第１実施形態と同一の構成部分には同一符号を付して説明を省略する。
【００７６】
本実施形態のロータ１１では、図１３及び図１４に示すように、ロータフレーム３０は、主磁石部４１，…，４１と副磁石部４３，…，４３とが挿入された積層体７１、及び、アウターリング５０が収容された状態で鋳込みによって形成され、別体に設けられた図示しないシャフト部が、ロータフレーム３０の内筒部３２から内径側に延びる内向きフランジ３８と締結固定される。
【００７７】
このため、ロータフレーム３０を鋳込む際に使用される第１及び第２の金型８０，８１は、径方向外側においては、アウターリング５０やヨーク部４２の回転軸方向の一側面で分割されており、径方向内側においては、内向きフランジ３８の回転軸方向一側面で分割されている。また、金型８０，８１は、それぞれ内向きフランジ３８の軸方向側面、ヨーク部４２と副磁石部４３の軸方向側面、アウターリング５０の軸方向側面にそれぞれ対応する各側面８０ｆ，８１ｆ，８０ｂ，８１ｂ，８０ｃ，８１ｃを有し、また、第１の金型８０は、アウターリング５０の外周面に対応する内周面８０ｄを有する。この場合にも、これら金型８０，８１のヨーク部４２と副磁石部４３の軸方向側面に対応する各側面８０ｂ，８１ｂの外径側には、積層体７１を、径方向に位置決めするために段差部８２，８３が設けられる。
【００７８】
これにより、別体のシャフト部は、鋳込み後のロータフレーム３０に後から取り付けることができ、シャフト部の長さを考慮した鋳込みの設備が不要となり、該設備の小型化が図れる。
その他の構成及び作用については、第１実施形態のものと同様である。
【００７９】
＜第４実施形態＞
以下、本発明の第４実施形態について、図１５及び図１６を参照して説明する。なお、図中、第１実施形態と同一の構成部分には同一符号を付して説明を省略する。
【００８０】
本実施形態のロータでは、ロータフレーム３０は、副磁石部４３の回転軸方向外側に形成された空間にダイカスト合金が入り込んで形成される副磁石押さえ部３９を有する。このため、ロータ１１の回転軸方向側面は、ヨーク部４２と副磁石押さえ部３９との側面によって周方向に亘って面一となるように形成される。
【００８１】
また、ロータフレーム３０を鋳込む際に使用される金型８０，８１において、ヨーク部４２と副磁石押さえ部３９の軸方向側面に対応する側面８０ｂ１，８１ｂ１も周方向に亘って面一に形成されればよく、金型８０，８１の形状が簡素化される。なお、この場合も、積層体７１は、巻き始め部６４と巻き終わり部６５とによって金型８０，８１に対して周方向に位置決めされている。
従って、本実施形態のロータ１１によれば、ロータフレーム３０は、副磁石部４３の回転軸方向外側に形成された空間に入り込む非磁性部材からなる副磁石押さえ部３９を有するので、主磁石部４１及び副磁石部４３の各磁束への影響を及ぼすことなく、副磁石部４３の位置ずれを防止することができる。
【００８２】
＜第５実施形態＞
以下、本発明の第５実施形態について、図１７〜図１９を参照して説明する。なお、図中、第１実施形態と同一の構成部分には同一符号を付して説明を省略する。
【００８３】
本実施形態のロータ１１では、主磁石部４１，…，４１と副磁石部４３，…，４３は、鋳込みによりロータフレーム３０と積層体７１とを一体化した後に積層体７１に挿入される。
【００８４】
このため、積層体７１の最内径側から少なくとも一層では、リブ用切欠き６３のみが形成され、主磁石部用切欠き６１、及び副磁石部用切欠き６２は形成されず、捲回巻きすることで形成される主磁石部挿入穴７２と副磁石部収容部７４は、内周側で塞がれている。また、積層体７１の最外径側から少なくとも一層では、主磁石部用切欠き６１、副磁石部用切欠き６２のみが形成され、リブ用切欠き６３は形成されず、捲回巻きすることで形成されるリブ収容穴７３は、外周側で塞がれている。
【００８５】
これにより、図１９に示すように、このように形成された積層体７１、及びシャフト部５５が収容された状態でロータフレーム３０を鋳込むと、リブ収容穴７３の径方向外側、主磁石部挿入穴７２、副磁石部収容部７４にダイカスト合金が流れ込むのが防止され、複数のリブ３１、内筒部３２、内向き凸部３４のみが形成される。
【００８６】
その後、主磁石部４１，…，４１と副磁石部４３，…，４３が、積層体７１の主磁石部挿入穴７２と副磁石部収容部７４に外周側から挿入され、アウターリング５０が積層体７１の周囲に圧入または焼きばめ固定される。
【００８７】
従って、本実施形態のアキシャルギャップ型モータによれば、積層体７１では、主磁石部挿入穴７２の内周側とリブ収容穴７３の外周側と副磁石部収容部７４の内周側が塞がれており、ロータフレーム３０は、鋳込みにより複数のリブ３１と内筒部３２とが形成される。これにより、主磁石部４１や副磁石部４３を外した状態でヨーク部４２をロータフレーム３０で鋳包むことができ、鋳込み工程時の温度上昇による磁石保磁力の劣化を防止することができる。これにより、磁石の保磁力劣化を懸念することなく、ダイカスト合金材料を選定することができる。
【００８８】
なお、本発明は、上記実施形態に例示したものに限定されるものではなく、本発明の要旨を逸脱しない範囲において適宜変更可能である。
【００８９】
例えば、上記実施形態では、回転軸Ｏ方向の何れか一方側にのみステータ１２を備え、ステータ１２と対向しない他方側においてはバックヨークを配置してもよい。
【図面の簡単な説明】
【００９０】
【図１】本発明に係るアキシャルギャップ型モータの全体斜視図である。
【図２】本発明の第１実施形態に係るアキシャルギャップ型モータ分解斜視図である。
【図３】図２のロータの分解斜視図である。
【図４】図２のロータのヨーク部、主磁石部、及び副磁石部を示す分解斜視図である。
【図５】テープ状の電磁鋼板を示す平面図である。
【図６】積層体が捲回巻きされる状態を示す図である。
【図７】主磁石部及び副磁石部が積層体に挿入された状態を示す要部拡大斜視図である。
【図８】ロータフレームの要部拡大斜視図である。
【図９】図２のIX−IX線に沿った、ロータの縦断面図である。
【図１０】ロータの鋳込み状態を示す断面図である。
【図１１】本発明の第２実施形態に係るアキシャルギャップ型モータのロータの分解斜視図である。
【図１２】図１０のロータの鋳込み状態を示す断面図である。
【図１３】本発明の第３実施形態に係るアキシャルギャップ型モータのロータの分解斜視図である。
【図１４】図１３のロータの鋳込み状態を示す断面図である。
【図１５】本発明の第４実施形態に係るアキシャルギャップ型モータのロータの、主磁石部及び副磁石部を挿入した積層体にロータフレームが鋳込まれた状態を示す要部拡大斜視図である。
【図１６】図１５のロータの鋳込み状態を示す断面図である。
【図１７】本発明の第５実施形態に係るアキシャルギャップ型モータのロータを一部切断した状態を示す斜視図である。
【図１８】図１７のＸVIII−ＸVIII線に沿ったロータの一部分解した断面図である。
【図１９】図１７のロータの鋳込み状態を示す断面図である。
【図２０】従来のロータを示す分解斜視図である。
【符号の説明】
【００９１】
１０    アキシャルギャップ型モータ
１１    ロータ
１２    ステータ
３０    ロータフレーム
３１    リブ
３４    内向き凸部
３５    外向き凸部
３６，３７    段差
４１    主磁石部
４２    ヨーク部
４３    副磁石部
５０    アウターリング
５１    他のロータフレーム用取付穴部
５５    シャフト部
５７    ロータフレーム用取付穴部
７１    積層体
７２    主磁石部挿入穴
７３    リブ収容穴
７４    副磁石部収容部
８０    第１の金型
８１    第２の金型
８２，８３    段差部
Ｏ    回転軸
【図１】
2010136501.tif 000003
【図２】
2010136501.tif 000004
【図３】
2010136501.tif 000005
【図４】
2010136501.tif 000006
【図５】
2010136501.tif 000007
【図６】
2010136501.tif 000008
【図７】
2010136501.tif 000009
【図８】
2010136501.tif 000010
【図９】
2010136501.tif 000011
【図１０】
2010136501.tif 000012
【図１１】
2010136501.tif 000013
【図１２】
2010136501.tif 000014
【図１３】
2010136501.tif 000015
【図１４】
2010136501.tif 000016
【図１５】
2010136501.tif 000017
【図１６】
2010136501.tif 000018
【図１７】
2010136501.tif 000019
【図１８】
2010136501.tif 000020
【図１９】
2010136501.tif 000021
【図２０】
2010136501.tif 000022